(57)【要約】本発明は、スマート機器が置かれるスマート機器配置部と、前記スマート機器配置部に置かれたスマート機器を固定するスマート機器固定装着部と、前面がオープンされたボックス状で構成され、前記スマート機器配置部及びスマート機器固定装着部によって前記スマート機器の画面が前記オープンされた前面に固定配置するように構成され、前記前面に対向する後面で前記前面に固定されたスマート機器の画面が見られるように配置する二つのレンズを含む顔接触部とを含み、一側が前記固定されたスマート機器の画面に接触し、他側が前記ボックス状の外部に突出して、視聴者の操作により前記スマート機器の画面に接触した位置の電場を変化させる少なくとも一つ以上のタッチボタンを具備する本体を含むことを特徴とする。
2018514112.tif 000002
【特許請求の範囲】
【請求項１】
スマート機器が置かれるスマート機器配置部と、
前記スマート機器配置部に置かれたスマート機器を固定するスマート機器固定装着部と、
前面がオープンされたボックス状で構成され、前記スマート機器配置部及びスマート機器固定装着部によって前記スマート機器の画面が前記オープンされた前面に固定配置するように構成され、前記前面に対向する後面で前記前面に固定されたスマート機器の画面が見られるように配置する二つのレンズを含む顔接触部とを含み、一側が前記固定されたスマート機器の画面に接触し、他側が前記ボックス状の外部に突出して、視聴者の操作により前記スマート機器の画面に接触した位置の電場を変化させる少なくとも一つ以上のタッチボタンを具備する本体を含むことを特徴とするタッチ機能を有するスマート機器用３次元映像ディスプレイ眼鏡。
【請求項２】
前記タッチボタンは、
前記本体上端部の前面に構成され、
前記スマート機器配置部は、
一側が前記本体の前面下端から延長して一体で連結され、
前記スマート機器固定装着部は、
逆Ｌ字状で構成され、一側が前記スマート機器配置部の他側に一体で連結され、他側が前記本体の上端部に着脱可能に構成され、前記スマート機器固定装着部の他側部分が前記タッチボタンを覆わないように溝が形成されることを特徴とする請求項１に記載のタッチ機能を有するスマート機器用３次元映像ディスプレイ眼鏡。
【請求項３】
前記タッチボタンは、
前記本体上端部の前面に構成され、
前記スマート機器配置部は、
一側が前記本体の前面下端に延長されて一体で連結され、
前記スマート機器固定装着部は、
一側が前記スマート機器配置部の他側に一体で連結され、前記スマート機器の後面を囲みながら前記本体の前面を覆う前面カバー部と、前記前面カバー部の他側と逆Ｌ字状で連結され、他側が前記本体上端部に着脱可能に構成される上端カバー部とを含み、
前記上端カバー部は、前記本体上端部を覆い、前記タッチボタンが外部に導出されるようにタッチボタンに対応する位置にタッチボタン挿入孔を含むことを特徴とする請求項１に記載のタッチ機能を有するスマート機器用３次元映像ディスプレイ眼鏡。
【請求項４】
前記タッチボタンは、
前記本体上端部の前面に構成され、
前記スマート機器配置部は、
一側が前記本体の前面下端に延長されて一体で連結され、両側面及び上部の少なくともいずれか一側が開放するように構成され、
前記スマート機器固定装着部は、
一側が前記スマート機器配置部の他側に一体で連結され、挿入された前記スマート機器の後面を囲むことができるように構成される前面カバー部を含むことを特徴とする請求項１に記載のタッチ機能を有するスマート機器用３次元映像ディスプレイ眼鏡。
【請求項５】
前記タッチボタンは、
本体上端部の底面に固定され、前記底面から前面に垂直した本体内側方向に長く形成される第１バーと、
前記本体前面から下端方向に形成され、逆Ｌ字状となるように前記第１バーと連結する第２バーと、
前記第１バーの末端上端部に形成され、本体上端部の外部に突出すタッチ電極と、
前記第２バーの末端上端部に構成され、スマート機器の画面に接触するように突出す画面タッチ部とを含むことを特徴とする請求項１乃至４のいずれか一項に記載のタッチ機能を有するスマート機器用３次元映像ディスプレイ眼鏡。
【請求項６】
前記タッチボタンは、
前記第２バーが前記本体の前面方向に動くように第１バーとヒンジ結合され、
前記第２バーを前記本体の前面方向に押すように前記第１バーの底面と前記第２バーの画面タッチ部が設置された後面に構成され、前記第２バーを前面方向に押す力を発生させる弾性部材をさらに含むことを特徴とする請求項５に記載のタッチ機能を有する３次元映像ディスプレイ眼鏡。
【請求項７】
前記タッチボタンは、
前記スマート機器の画面と水平に長く形成されて回転する回転軸と、
一側が前記回転軸に垂直に連結され、他側が前記回転軸の回転によって前記固定されたスマート機器の画面でドラッグするように構成されるドラッグタッチ部と、
前記回転軸と連結され、前記本体の外部に突出すように構成され、視聴者の操作によって回転して前記回転軸を回転させるジョグダイヤルとを含むことを特徴とする請求項１に記載のタッチ機能を有する３次元映像ディスプレイ装置。
【請求項８】
前記タッチボタンは、
スマート機器の画面を左から右または右から左にドラッグするように本体の本体上端部に構成されることを特徴とする請求項７に記載のタッチ機能を有する３次元映像ディスプレイ装置。
【請求項９】
前記タッチボタンは、
スマート機器の画面を上から下または下から上にドラッグするように本体の左側面部及び右側面部の少なくともいずれか一つ以上に構成されることを特徴とする請求項７に記載のタッチ機能を有する３次元映像ディスプレイ装置。
【発明の詳細な説明】
【技術分野】
【０００１】
本発明は、スマート機器用３次元映像ディスプレイ眼鏡に関し、さらに詳しくは、３次元映像ディスプレイ眼鏡に装着されたスマート機器の画面を直接タッチせず、スマート機器用３次元映像ディスプレイ眼鏡の外部に構成されたタッチボタンを操作して、スマート機器の画面を間接的にタッチ及びドラッグすることができるタッチ機能を有するスマート機器用３次元映像ディスプレイ眼鏡に関する。
【背景技術】
【０００２】
最近、３次元立体映像及び仮想現実に対する関心が高まり、スマート機器を通じて３次元立体映像及び仮想現実が経験できるようにするための様々な装置が開発されている。
特に、スマート機器が装着可能に構成され、スマート機器でディスプレイされる３Ｄ用の左右分割映像を３次元映像に合成して見せるスマート機器用３次元映像ディスプレイ眼鏡が開発されて商用化されている。
【０００３】
しかし、このような３次元映像ディスプレイ眼鏡は、モデルハウスなどの広報用、火災鎮圧の体験のような体験用などとして多く適用されている。これにより、３次元映像ディスプレイ眼鏡は、多様でかつ多くの広報対象者及び体験者に提供されており、回収が難しく、広報及び体験の極大化のために配布している。従って、３次元映像ディスプレイ眼鏡を通じて広報及び体験の提供を必要とする顧客は、生産単価の低い３次元映像ディスプレイ眼鏡を要求している。
【０００４】
図１は、一般的なスマート機器用３次元映像ディスプレイ眼鏡の構成を示す斜視図であり、配布用として利用されている３次元映像ディスプレイ眼鏡の構成を示す図面である。図１を参照して、スマート機器用３次元映像ディスプレイ眼鏡の構成を説明する。
一般のスマート機器用３次元映像ディスプレイ眼鏡は、本体１０、スマート機器固定装着部２０及びスマート機器配置部３０を含む。
【０００５】
本体１０は、前面に開放されたボックス状で構成され、前面に対応する後面に使用者の目をあてられるように楕円形で構成され、前面に置かれたスマート機器１００の画面を通じて再生される３Ｄ用映像を３Ｄ映像に合成して視聴者の目に提供するレンズ４０−１、４０−２を具備する顔接触部１３を含む。そして、本体１０は、本体上端部１１にベルクロテープ１２−１、１２−２を含む。
【０００６】
スマート機器１００は、画面が本体１０の前面に向かうようにスマート機器配置部３０に置かれる。
【０００７】
スマート機器固定装着部２０は、スマート機器配置部３０に置かれたスマート機器１００を固定するために、前面カバー部２２によってスマート機器１００の後面（画面の反対面）を囲みながら前記前面カバー部２２と垂直に延長する上端カバー部２１が本体１０の本体上端部１１の前部分に付着して本体１０と結合する。前記スマート機器固定装着部２０の上端カバー部２１の両側に構成されるベルクロテープ２１−１、２１−２が本体１０の本体上端部１１のベルクロテープ１２−１、１２−２に接着することで、スマート機器固定装着部２０が本体上端部１１に付着する。
【０００８】
前記スマート機器１００は、前記スマート機器配置部３０に置かれる前、または前記スマート機器固定装着部２０の上端カバー部２１を本体１０の本体上端部１１に付着する前に３Ｄ用映像がディスプレイされている必要がある。
【０００９】
前記スマート機器１００に３Ｄ用映像がディスプレイされ、スマート機器１００がスマート機器固定装着部２０によって装着された後、視聴者が本体１０の顔接触部１３の二つのレンズ４０−１、４０−２に目が位置するように顔接触部１３に顔を持っていけば、視聴者は、前記二つのレンズを通じて前記スマート機器１００でディスプレイされる３Ｄ用映像に対する３次元映像が見られる。
【００１０】
上述したように、従来の３次元映像ディスプレイ眼鏡は、配布用として作製されている。従って、従来の３次元映像ディスプレイ眼鏡は、単純な３Ｄ動画の視聴用のみで使用されており、スマート機器の画面がタッチできず、これにより、スマート機器の機能が制御できないという問題点があった。スマート機器の機能が制御できないため、上述したように、スマート機器１００をスマート機器配置部に置く前に３Ｄ用映像をディスプレイしなければならないため不便であるという問題点があった。
【００１１】
また、従来の３次元映像ディスプレイ眼鏡は、３Ｄ映像ディスプレイ中にスマート機器の機能を制御するためには、前記スマート機器固定装着部２０を上端カバー部２０から分離してスマート機器１００の画面をクリックした後、再びスマート機器固定装着部２０を上端カバー部２０に付着するか、眼鏡の開いた隙間に指を入れてタッチしなければならないため、非常に不便であるという問題点があった。
【００１２】
このような問題点を解決するために、別途の装置をスマート機器に装着してスマート機器の機能を制御するスマート機器用３次元映像ディスプレイ眼鏡が開発されて商用化されたが、その生産単価が高くなり、配布用として使用し難いという問題点があった。
【発明の概要】
【発明が解決しようとする課題】
【００１３】
従って、本発明の目的は、３次元映像ディスプレイ眼鏡に装着されたスマート機器の画面を直接タッチせず、スマート機器用３次元映像ディスプレイ眼鏡の外部に構成されたタッチボタンを操作して、スマート機器の画面を間接的にタッチ及びドラッグすることができるタッチ機能を有しながらも、生産単価が低く、配布用として使用可能なタッチ機能を有するスマート機器用３次元映像ディスプレイ眼鏡を提供することにある。
【課題を解決するための手段】
【００１４】
上記のような目的を達成するための本発明によるタッチ機能を有するスマート機器用３次元映像ディスプレイ眼鏡は、スマート機器が置かれるスマート機器配置部と、前記スマート機器配置部に置かれたスマート機器を固定するスマート機器固定装着部と、前面がオープンされたボックス状で構成され、前記スマート機器配置部及びスマート機器固定装着部によって前記スマート機器の画面が前記オープンされた前面に固定配置するように構成され、前記前面に対向する後面で前記前面に固定されたスマート機器の画面が見られるように配置する二つのレンズを含む顔接触部とを含み、一側が前記固定されたスマート機器の画面に接触し、他側が前記ボックス状の外部に突出して、視聴者の操作により前記スマート機器の画面に接触した位置の電場を変化させる少なくとも一つ以上のタッチボタンを含む本体を含むことを特徴とする。
【００１５】
前記タッチボタンは、前記本体上端部の前面に構成され、前記スマート機器配置部は、一側が前記本体の前面下端から延長して一体で連結され、前記スマート機器固定装着部は、逆Ｌ字状で構成され、一側が前記スマート機器配置部の他側に一体で連結され、他側が前記本体の上端部に着脱可能に構成され、前記スマート機器固定装着部の他側部分が前記タッチボタンを覆わないように溝が形成されることを特徴とする。
【００１６】
前記タッチボタンは、前記本体上端部の前面に構成され、前記スマート機器配置部は、一側が前記本体の前面下端から延長して一体で連結され、前記スマート機器固定装着部は、一側が前記スマート機器配置部の他側に一体で連結され、前記スマート機器の後面を囲みながら前記本体の前面を覆う前面カバー部と、前記前面カバー部の他側と逆Ｌ字状で連結され、他側が前記本体上端部に着脱可能に構成される上端カバー部とを含み、前記上端カバー部は、前記本体上端部を覆い、前記タッチボタンが外部に導出されるようにタッチボタンに対応する位置にタッチボタン挿入孔を含むことを特徴とする。
【００１７】
前記タッチボタンは、本体上端部の底面に固定され、前記底面から前面に垂直した本体内側方向に長く形成される第１バー（ｂａｒ）と、前記本体前面から下端方向に形成され、逆Ｌ字状となるように前記第１バーと連結する第２バーと、前記第１バーの末端上端部に形成され、本体上端部の外部に突出すタッチ電極と、前記第２バーの末端上端部に構成され、スマート機器の画面に接触するように突出す画面タッチ部とを含むことを特徴とする。
前記タッチボタンは、前記第２バーが前記本体の前面方向に動くように第１バーとヒンジ結合され、前記第２バーを前記本体の前面方向に押すように前記第１バーの底面と前記第２バーの画面タッチ部が設置された後面に構成され、前記第２バーを前面方向に押す力を発生させる弾性部材をさらに含むことを特徴とする。
【００１８】
前記タッチボタンは、前記スマート機器の画面と水平に長く形成されて回転する回転軸と、一側が前記回転軸に垂直に連結され、他側が前記回転軸の回転によって前記固定されたスマート機器の画面でドラッグするように構成されるドラッグタッチ部と、前記回転軸と連結され、前記本体の外部に突出すように構成され、視聴者の操作によって回転して前記回転軸を回転させるジョグダイヤルとを含むことを特徴とする。
【００１９】
前記タッチボタンは、スマート機器の画面を左から右または右から左にドラッグするように本体の本体上端部に構成されることを特徴とする。
【００２０】
前記タッチボタンは、スマート機器の画面を上から下または下から上にドラッグするように本体の左側面部及び右側面部の少なくともいずれか一つ以上に構成されることを特徴とする。
【発明の効果】
【００２１】
本発明は、一側がスマート機器の画面に接触され、他側が使用者がタッチ可能に３次元映像ディスプレイ眼鏡の外部に形成されているタッチボタンを具備するため、スマート機器用３次元映像ディスプレイ眼鏡の外部に構成されるタッチスイッチのタッチだけでスマート機器の画面をタッチした効果が出せるという効果を有する。
【００２２】
また、本発明は、ジョグダイヤルタッチボタンを具備するため、直接的にスマート機器の画面を指でドラッグせずとも、ジョグダイヤルタッチボタンの操作だけでドラッグタッチ機能を使用することができ、これにより、さらに多様な機能が制御可能な効果を有する。
これにより、本願発明は、使用者が指でスマート機器の画面を直接的にタッチせずとも、スマート機器の多様な機能が制御可能な効果を有する。
【００２３】
また、本発明は、３次元映像ディスプレイ眼鏡の外部に構成されたタッチボタンを利用してスマート機器の多様な機能が制御可能で、かつ、前記タッチボタンを電極及びジョグダイヤルなどによって構成することができるため、生産単価の上昇を最小化することができるという効果を有する。
また、本発明は、生産単価を最小化することができるため、配布用として使用可能な効果を有する。
【図面の簡単な説明】
【００２４】
【図１】一般的なスマート機器用３次元映像ディスプレイ眼鏡の構成を示す図面である。
【図２】本発明の第１実施例によるタッチ機能を有するスマート機器用３次元映像ディスプレイ眼鏡の構成を示す図面である。
【図３】本発明の第２実施例によるタッチ機能を有するスマート機器用３次元映像ディスプレイ眼鏡の構成を示す図面である。
【図４】本発明の第１及び第１実施例によるタッチ機能を有するスマート機器用３次元映像ディスプレイ眼鏡の側面図を示す図面である。
【図５】本発明の第３実施例によるタッチ機能を有するスマート機器用３次元映像ディスプレイ眼鏡の側面図を示す図面である。
【図６】本発明によるタッチ機能を有するスマート機器用３次元映像ディスプレイ眼鏡のタッチボタン構造の第１例を示す図面である。
【図７】本発明によるタッチ機能を有するスマート機器用３次元映像ディスプレイ眼鏡のタッチボタン構造の第２例を示す図面である。
【図８】本発明によるタッチ機能を有するスマート機器用３次元映像ディスプレイ眼鏡のタッチボタン構造の第３例を示す図面である。
【図９】本発明によるタッチ機能を有するスマート機器用３次元映像ディスプレイ眼鏡の第４例によるタッチボタン構造を示す図面である。
【発明を実施するための形態】
【００２５】
スマート機器が置かれるスマート機器配置部と、前記スマート機器配置部に置かれたスマート機器を固定するスマート機器固定装着部と、前面がオープンされたボックス状で構成され、前記スマート機器配置部及びスマート機器固定装着部によって前記スマート機器の画面が前記オープンされた前面に固定配置するように構成され、前記前面に対向する後面で前記前面に固定されたスマート機器の画面が見られるように配置する二つのレンズを含む顔接触部とを含み、一側が前記固定されたスマート機器の画面に接触し、他側が前記ボックス状の外部に突出して、視聴者の操作により前記スマート機器の画面に接触した位置の電場を変化させる少なくとも一つ以上のタッチボタンを具備する本体を含むことを特徴とする。
【００２６】
以下では、添付の図面を参照して本発明によるタッチ機能を有するスマート機器用３次元映像ディスプレイ眼鏡の構成及び動作を説明する。
図２は、本発明の第１実施例によるタッチ機能を有するスマート機器用３次元映像ディスプレイ眼鏡の構成を示す図面であり、図３は、本発明の第２実施例によるタッチ機能を有するスマート機器用３次元映像ディスプレイ眼鏡の構成を示す図面である。図２及び図３において、図１と同一の構成については、同一符号を使用した。以下で、図２及び図３を参照して説明する。
【００２７】
本発明によるタッチ機能を有するスマート機器用３次元映像ディスプレイ眼鏡１は、本体２００、スマート機器固定装着部３００及びスマート機器配置部４００を含む。
本体２００は、本体上端部１１、顔接触部１３、左側面部１５、右側面部１６及び底面部１７を含み、前面が開放されるボックス状で構成される。
本体上端部１１と底面部１７の後部は、図２及び図３に示すように、視聴者の顔が挿入される部分として曲線で形成される。
【００２８】
顔接触部１３は、図２の第１実施例のように曲線で形成されてもよく、図３の第２実施例のように長方形状で構成されてもよい。
【００２９】
顔接触部１３は、鼻が挿入される鼻挿入部１４、人の目の位置に対応する部分に挿入され、前記開放された前面に配置されたスマート機器１００の画面でディスプレイされている３Ｄ用映像を３Ｄ映像に合成して、視聴者の目に提供する二つのレンズ４０−１、４０−２を含む。
【００３０】
本体上端部１１は、少なくとも一つ以上のタッチボタン挿入部１１０が前部分に形成され、前記タッチボタン挿入部１１０に挿入されるタッチボタン１２０及びベルクロテープ１２を含む。前記タッチボタン挿入部１１０のサイズは、タッチボタン挿入部１１０の固定方法によってそのサイズが変わる。例えば、図２及び図３のタッチボタン１２０−１のように本体１０の本体上端部１１の下面に挿入される場合は、タッチボタン１２０−１の後述するタッチ電極１１３さえ外部に突出されればよいので、タッチボタン挿入部１１０のサイズは小さくてもよい。一方、後述する図４のように、タッチボタン１２０−２が本体上端部１１のタッチボタン挿入部１１０内側にボタン係止軸１１２によって係止結合する場合は、タッチボタン挿入部１１０のサイズは、図２及び図３のように大きくならればならない。
【００３１】
ベルクロテープ１２は、図２〜図３のように、左側と右側に分けて二つで構成されてもよく、中央に一つだけで構成されてもよい。
そして、タッチボタン１２０は、本体上端部１１の前部分の任意の位置に少なくとも一つ以上構成されることができる。
【００３２】
前記タッチボタン１２０は、前記スマート機器配置部４００に配置され、前記スマート機器固定装着部３００によって前記開放された前面に密着して配置するスマート機器１００の画面に一側端部が接触され、他側端部は、図２及び図３のように、本体上端部１１の外側に突出すように構成され、視聴者が指でタッチした時に人体の静電気によって前記一側端部が接触した部分をタッチしたような効果を発生させる。
図２〜図３では、タッチボタン１２０が本体上端部１１の左側または右側に偏って構成される場合を示したが、タッチボタンの個数によって中央にも構成されてもよく、中央のみに構成されてもよい。
【００３３】
前記タッチボタン１２０は、右側面部１５及び左側面部１６に構成されてもよい。前記タッチボタン１２０の詳細な構成及び動作は、後述する図５及び図６を参照して詳しく説明する。
【００３４】
しかし、左側面部１５及び右側面部１６に構成されるタッチボタンは、ジョグダイヤル形態で構成されて、画面をドラッグする効果を発生させるジョグダイヤルタッチボタン１３０−１、１３０−２で構成されることが好ましい。前記左側面部１５及び右側面部１６に構成されるジョグダイヤルタッチボタン１３０−１、１３０−２は、上から下または下から上にドラッグ（タッチ）した効果を発生させる。
【００３５】
前記ジョグダイヤルタッチボタン１３０も、本体上端部１１に構成され、左から右または右から左にドラッグした効果を発生させることができる。
【００３６】
前記ジョグダイヤルタッチボタン１３０の構成及び動作は、図７を参照して詳しく説明する。
【００３７】
スマート機器配置部４００は、スマート機器１００が配置される部分であり、本体１０の前面下端の角でスマート機器１００の厚さに対応するように延長して形成される。
スマート機器固定装着部３００は、前記スマート機器配置部４００に垂直に一体で構成され、スマート機器１００の後面、つまり、バッテリーカバー部分を覆い、本体１０の前面を覆う前面カバー部２２と、前記前面カバー部２２と逆Ｌ字状で連結され、前記本体１０の本体上端部１１の前部を覆うように構成され、前記本体上端部１１に着脱可能に構成される上端カバー部２１とを含む。
【００３８】
上端カバー部２１は、前記本体上端部１１の外部に突出すタッチボタン１２０が外部に露出するようにタッチボタン１２０が配置された部分にタッチボタン挿入孔３１０またはタッチボタン溝などが構成されることができる。前記タッチボタン溝は示していないが、前記上端カバー部２１の末端部で凹凸状で構成されることができる。
また、前記上端カバー部２１は、前記着脱手段としてベルクロテープが適用されることができ、前記ベルクロテープは、図２及び図３のように、タッチボタン挿入孔３１０に影響を与えない位置に構成されることができる。
【００３９】
上記説明では、前記上端カバー部２１が本体１０の上端部の前部分を覆うように構成される場合を説明した。しかし、前記上端カバー部２１は、本体１０の前面の末端部と一体で連結するように構成されてもよく、後述する図４のように構成されなくてもよい。前者の場合、スマート機器１００が挿入されてスマート機器配置部４００に置かれるようにスマート機器配置部４００によって形成される両側面のうち少なくともいずれか一側が開放するように形成される必要がある。そして、後者の場合は、スマート機器配置部４００の上端部が開放されるため、上端部でスマート機器１００を挿入及び除去可能に構成されることが好ましい。
【００４０】
図２及び図３において、スマート機器固定装着部３００は、スマート機器１００の後面及び本体１０の本体上端部１１の前部分を覆うように構成される場合を説明したが、前記スマート機器配置部４００の上端に構成され、前記スマート機器配置部４００に置かれたスマート機器１００が本体１０の前面に配置された状態で保持されるようにするホルダーで構成されてもよく、スマート機器固定装着部３００が前記本体１０と一体で構成され、スマート機器１００が前記スマート機器配置部４００に挿入するように構成されてもよい。
図４は、本発明の第１及び第２実施例によるタッチ機能を有するスマート機器用３次元映像ディスプレイ眼鏡の側面図を示す図面として、タッチボタンのある部分を切断した側面図であり、図５は、第３実施例によるタッチ機能を有するスマート機器用３次元映像ディスプレイ眼鏡の側面図を示す図面である。そして、図６は、本発明によるタッチ機能を有するスマート機器用３次元映像ディスプレイ眼鏡のタッチボタン構造の第１例を示す図面であり、図７は、本発明によるタッチ機能を有するスマート機器用３次元映像ディスプレイ眼鏡のタッチボタン構造の第２例を示す図面であり、図８は、本発明によるタッチ機能を有するスマート機器用３次元映像ディスプレイ眼鏡のタッチボタン構造の第３例を示す図面であり、図９は、本発明によるタッチ機能を有するスマート機器用３次元映像ディスプレイ眼鏡の第４例によるタッチボタン構造を示す図面である。以下では、図４〜図９を参照して説明する。
【００４１】
本発明による本体１０は、一定の厚さを有する紙またはプラスチックなどで構成されることができる。
【００４２】
上述したように、本体上端部１１には、図４に示すように、タッチボタン１２０が構成され、左側面部１５及び右側面部１６の少なくともいずれか一つ以上にはジョグダイヤルタッチボタン１３０が形成されることができる。
【００４３】
先ず、図６を参照してタッチボタン１２０の構造及び動作を説明すると、タッチボタン１２０は、図４及び図６に示すように、逆Ｌ字状のボタン本体１１１、視聴者が指でタッチ可能に前記本体上端部１１の外部に突出すタッチ電極１１３、及びスマート機器固定装着部３００によって固定されたスマート機器１００の画面に接触する画面タッチ部１１４を含み、実施例によって、前記ボタン本体１１１の逆Ｌ字状の角部分の両側から突出すボタン係止軸１１２をさらに含む。ボタン本体１１１は、本体上端部１１と平行に結合する第１バー（Ｂａｒ）１１１１と、前記第１バー１１１１に垂直（９０度）以上に結合する第２バー１１１２とを含む。第１例によるタッチボタン１２０は、図６のように、第１バー１１１１と第２バー１１１２とが一体で構成される。前記ボタン本体１１１は、人体に形成される静電気がスマート機器１００の画面（タッチパッド）に到達可能な導体及び半導体で構成されてもよく、前記タッチ電極１１３と画面タッチ部１１４とを連結する導体または半導体が前記ボタン本体１１１の内部を通じて構成されてもよい。しかし、単純化するために、前記ボタン本体１１１が導体及び半導体のいずれか一つで形成されることが好ましい。前記画面タッチ部１１４は、一般のタッチペンと同様にシリコンなどで構成されてもよく、アルミニウムなどで構成されてもよい。
【００４４】
前記タッチボタン１２０は、図２及び図４に示すように、本体上端部１１のタッチボタン挿入部１１０に挿入して固定されてもよく、本体上端部１１の内側の下面に付着して固定されてもよい。
前記タッチボタン１２０がタッチボタン挿入部１１０に挿入される場合、タッチボタン挿入部１１０の内側両側に前記ボタン係止軸１１２が係止結合されて前記タッチボタン挿入部１１０に挿入する。このように結合されたタッチボタン１２０のタッチ電極１１３が視聴者によってタッチされる時に、ボタン本体１１１がボタン係止軸１１２を軸としてタッチの力が伝達される方向に回転して、画面タッチ部１１４がスマート機器１００の画面により強く接触することができる。
【００４５】
また、タッチボタン１２０が本体上端部１１の下面に付着して固定されてもよく、この場合、タッチボタン挿入部１１０は、図２及び図３のタッチボタン１２０−１の挿入構造に示すように、タッチ電極１１３に対応するサイズで形成すればよい。
【００４６】
そして、第２例によるタッチボタン１２０は、第１バー１１１１と第２バー１１１２が一体で構成されず、別個の構成で構成され、第１バー１１１と第２バー１１１２がヒンジ１１５によってヒンジ結合され、第１バー１１１１の下面と第２バー１１１２の画面タッチ部１１４が構成された後面に弾性部材１１６がさらに構成される。前記第１バー１１１１は、本体上端部１１に固定されるため、弾性部材１１６は、第２バー１１１２をスマート機器１００が配置される方向に押すことになり、画面タッチ部１１４がスマート機器１００の画面に強く接触されることができる。画面タッチ部１１４がスマート機器１００の画面に強く接触されるため、タッチ性能を高めることができる。前記第１バー１１１１、ヒンジ１１５及び第２バー１１１２も、人体の静電気がスマート機器１００の画面に伝達可能な導体及び半導体のいずれか一つで構成されるか、前記タッチ電極１１３と画面タッチ部１１４とを連結する別途の導体及び半導体が内部を通じて連結される必要がある。
【００４７】
また、図４のように、スマート機器配置部４００の上端部が開放されるように構成する場合、タッチボタン１２０は、スマート機器１００がスマート機器配置部４００に挿入された時に画面タッチ部１１４がタッチされるように構成する必要があり、この場合、図８のように構成することが好ましい。
【００４８】
図８のタッチボタン１２０は、ボタン本体１１１及び前記ボタン本体１１１外側に沿って接着する電極部１４０で構成されることができる。前記電極部１４０は、アルミニウムなどで構成されることができる。前記電極部１４０は、ボタン本体１１１の幅と同一の幅を有するように構成されてもよく、ボタン本体１１１の幅よりさらに薄く構成されてもよい。
【００４９】
図８のように構成される場合、タッチボタン１２０は、図４に示すように、ボタン本体１１１の第２バー１１１１に付着した電極部１４０が本体２００の本体上端部１１の前面末端部よりさらに突出すように、本体上端部１１のタッチボタン挿入部１１０に構成されることができる。この場合、タッチボタン挿入部１１０の前面方向は開放される。
【００５０】
スマート機器１００がスマート機器配置部４００に挿入された時に、自動的に図９を参照して第４例によるジョグダイヤルタッチボタン１３０の構成を説明すると、ジョグダイヤルタッチボタン１３０は、スマート機器１００の画面と平行に配置する回転軸１３１、前記回転軸に直角で結合し、前記スマート機器１００の画面にタッチ及びドラッグするように構成されるドラッグタッチ部１３３、及び前記回転軸１３１の一端と連結し、図２及び図３に示すように、本体２００の側面部１５、１６に突き出して視聴者によって回転可能に構成されるジョグダイヤル１３２を含む。前記視聴者が前記ジョグダイヤル１３２を回転させれば、回転させる方向によってドラッグタッチ部１３３がスマート機器１００の画面を上から下または下から上に移動しながらタッチすることになり、上から下または下から上にドラッグする効果を発生させる。前記回転軸１３１、ジョグダイヤル１３２及びドラッグタッチ部１３３は、人体の静電気がスマート機器１００の画面に到達可能な導体及び半導体のいずれか一つで構成される。前記ドラッグタッチ部１３３は、スマート機器１００画面のスクラッチを防止するために、通常のシリコンで構成されることが好ましい。
【００５１】
一方、本発明は、前述した典型的な好ましい実施例のみに限定されるものではなく、本発明の要旨を外れない範囲内で多様に改良、変更、代替、または付加して実施可能なことは、当該技術分野で通常の知識を持った者であれば容易に理解できるであろう。このような改良、変更、代替、または付加による実施が以下で添付の特許請求の範囲の範疇に属するものであれば、その技術思想も本発明に属するとみるべきである。
【産業上の利用可能性】
【００５２】
本発明のタッチ機能を有するスマート機器用３次元映像ディスプレイ眼鏡は、一側がスマート機器の画面に接触し、他側が使用者がタッチ可能に３次元映像ディスプレイ眼鏡の外部に形成されているタッチボタンを具備するため、スマート機器用３次元映像ディスプレイ眼鏡の外部に構成されるタッチスイッチのタッチだけで、スマート機器の画面をタッチした効果を有することができ、ジョグダイヤルタッチボタンを具備するため、直接的にスマート機器の画面を指でドラッグせずとも、ジョグダイヤルタッチボタンの操作だけでドラッグタッチ機能を使用することができ、多様な機能が制御可能な効果があり、非常に有用な発明であると同時に、利用可能性が非常に高い発明である。
【符号の説明】
【００５３】
１：３次元映像ディスプレイ眼鏡
１１：本体上端部
１２：ベルクロテープ
１３：顔接触部
１４：鼻挿入部
１５：左側面部
１６：右側面部
２１：上端カバー部
２２：前面カバー部
２３：ベルクロテープ
１００：スマート機器
１１０：タッチボタン挿入部
１１１：ボタン本体
１１２：ボタン係止軸
１１３：タッチ電極
１１４：画面タッチ部
１１５：ヒンジ
１１６：弾性部材
１２０：タッチボタン
１３０：ジョグダイヤルタッチボタン
１３１：回転軸
１３２：ジョグダイヤル
１３３：ドラッグタッチ部
２００：本体
３００：スマート機器固定装着部
３１０：タッチボタン挿入孔
４００：スマート機器配置部
【図１】
2018514112.tif 000003
【図２】
2018514112.tif 000004
【図３】
2018514112.tif 000005
【図４】
2018514112.tif 000006
【図５】
2018514112.tif 000007
【図６】
2018514112.tif 000008
【図７】
2018514112.tif 000009
【図８】
2018514112.tif 000010
【図９】
2018514112.tif 000011
【国際調査報告】
2018514112.tif 000012
2018514112.tif 000013
2018514112.tif 000014
2018514112.tif 000015